(57)【要約】新鮮な生産物の格納デバイス(10)は、新鮮な生産物を受け入れるための開口(22)を有するポケット(16)を有する。ポケット(16)は、少なくとも一部が複合材シート(100)から形成されて、水透過性材料から形成された少なくとも１つの内側層(102)と、水吸収性の詰め物から形成された中央層(104)と、水透過性材料から形成された外側層(106)を備える。【選択図】図１
2017507094.tif 000002
【特許請求の範囲】
【請求項１】
新鮮な生産物を受け入れるための開口を有するポケットを有する新鮮な生産物の格納デバイスであって、ポケットは少なくとも一部が複合材シートから形成されて、
水透過性材料から形成された少なくとも１つの内側層と、
水吸収性の詰め物から形成された中央層と、
水透過性材料から形成された外側層を備える、格納デバイス。
【請求項２】
前記ポケットは第２シートに固定された第１シートから形成され、第１シートと第２シートの少なくとも１つは、複合材シートを備える、請求項１に記載の格納デバイス。
【請求項３】
両第１シートと第２シートは、複合材シートを備える、請求項２に記載の格納デバイス。
【請求項４】
前記第１シートと第２シートは大凡矩形であって、３つの共通の縁に沿って固定されて矩形のポケットを形成する、請求項２又は３に記載の格納デバイス。
【請求項５】
更に、水透過性の材料から形成された平坦部を備え、該平坦部は前記第１シートの端部から延びてポケットの開口部を大凡閉じるように構成されている、請求項２乃至４の何れかに記載の格納デバイス。
【請求項６】
前記平坦部は前記第１シートの延長部である、請求項５に記載の格納デバイス。
【請求項７】
第２層を内側にした状態でロール状の構成に巻かれるように構成され、前記平坦部はロール状の構成内の格納デバイスの回りを周方向に包むように構成されている、請求項５又は６に記載の格納デバイス。
【請求項８】
更に、格納デバイスをロール状の構成内に固定するように構成された固定機構を備える、請求項７に記載の格納デバイス。
【請求項９】
前記固定機構はロール状の構成内の格納デバイスの回りを巻くように構成された１以上のストラップである、請求項８に記載の格納デバイス。
【請求項１０】
前記固定機構は、フック及びループファスナを備える、請求項８に記載の格納デバイス。
【請求項１１】
前記ポケットはポケットの幅と略同じに延びる開口を有する、請求項１乃至１０の何れかに記載の格納デバイス。
【請求項１２】
前記複合材シートは、２つの内側層を備える、請求項１乃至１１の何れかに記載の格納デバイス。
【請求項１３】
少なくとも１つの内側層はチーズクロスから形成される、請求項１乃至１２の何れかに記載の格納デバイス。
【請求項１４】
前記チーズクロスは、平方インチ（6.4516cm２）当たり３０から９０の数の糸を有する、請求項１３に記載の格納デバイス。
【請求項１５】
前記中央層は、綿及び/又は竹繊維の詰め物から形成される、請求項１乃至１４の何れかに記載の格納デバイス。
【請求項１６】
前記外側層は、綿モスリン又はキャラコ織物から形成される、請求項１乃至１５の何れかに記載の格納デバイス。
【請求項１７】
前記綿モスリン又はキャラコ織物は、平方インチ（6.4516cm２）当たり１００から２００の数の糸を有する、請求項１６に記載の格納デバイス。
【請求項１８】
冷蔵庫に新鮮な生産物を保存する方法であって、
先行する請求項の何れかの格納デバイスに水を浴びせる工程と、
該格納デバイスのポケットに新鮮な生産物を置く工程と、
該格納デバイスを冷蔵庫内に置く工程を備える、方法。
【請求項１９】
更に、冷蔵庫内に格納デバイスを置く工程の前に、第２シートを内側にした状態で、格納デバイスをロール状の構成内に巻く工程を備えている、請求項１８に記載の方法。
【請求項２０】
更に、前記格納デバイスを間欠的に水で湿らせて、格納デバイスの中央層内に水を補充する工程を備える、請求項１８又は１９に記載の方法。
【発明の詳細な説明】
【技術分野】
【０００１】
本発明は、ハーブ、フルーツ及び野菜のような新鮮な生産物を冷蔵庫に保存するための格納デバイスに関する。
【背景技術】
【０００２】
ハーブ、フルーツ及び野菜のような新鮮な生産物は、一般的に冷蔵庫に保存されて、それらの保管寿命を長くし、腐敗、侵入及び菌の増殖を防ぐ。新鮮な生産物は、一般的に野菜室トレイ内、プラスチックバッグ内、プラスチック容器内又は単に棚上で冷蔵庫内に保存される。
【０００３】
プラスチックバッグ又は容器は、生産物に適切に空気を通す又は「呼吸」することを阻止する。これは、栄養素の損失割合が増加し、生産物の早期の腐敗に繋がる。
【０００４】
生産物を野菜室トレイ内に保存し、又は棚上に置くことは、換気が良くなり、生産物が「呼吸」することを許す。しかし、冷蔵庫内を乾燥空気が流れることにより、生産物の脱水率が増加し、栄養素の損失割合が増加し、生産物の早期の腐敗にも繋がる。
【０００５】
水耕レタスのように生産物の中には、水瓶内に根が損傷されない状態で保存されるものがある。これにより、生産物は呼吸でき、その一方、根を介して瓶から水を引き込むことができ、生産物の脱水を防ぎ、高い栄養素レベルをより長く維持することが出来る。しかし、水瓶内に起立した生産物は冷蔵庫内の棚又は野菜室トレイに保存することが難しい。
【０００６】
本発明の目的は、上記の１以上の不利益を大凡克服し又は少なくとも改善し、又は有用な代替品を提供することにある。
【発明の概要】
【０００７】
第１の態様にて、本開示は新鮮な生産物を受け入れるための開口を有するポケットを有する。ポケットは、少なくとも一部が複合材シートから形成されて、
水透過性材料から形成された少なくとも１つの内側層と、
水吸収性の詰め物から形成された中央層と、
水透過性材料から形成された外側層を備える。
【０００８】
好ましい実施形態にて、ポケットは第２シートに固定された第１シートから形成され、第１シートと第２シートの少なくとも１つは、第１の態様の複合材シートを備える。各第１シートと第２シートは、第１の態様の複合材シートに従ったシートを備えるのが好ましい。
【０００９】
第１シートと第２シートは大凡矩形で３つの共通の縁に沿って固定されて矩形のポケットを形成するのが好ましい。
【００１０】
好ましい実施形態において、格納デバイスは更に、水透過性の材料から形成された平坦部を備え、該平坦部は第１シートの端部から延びてポケットの開口部を大体閉じるように構成されている。平坦部は第１シートの延長部である。
【００１１】
格納デバイスは、第２層を内側にした状態でロール状の構成に巻かれるように構成されるのが好ましく、平坦部はロール状の構成内の格納デバイスの回りを周方向に包むように構成されている。
【００１２】
付随的に、格納デバイスは更に、格納デバイスをロール状の構成内に固定するように構成された固定機構を備える。固定機構はロール状の構成内の格納デバイスの回りを巻くように構成された１以上のストラップであり、又はこれに代えて、固定機構はフック及びループファスナを備える。
【００１３】
好ましい実施形態において、ポケットはポケットの幅と略同じに延びる開口を有する。      
【００１４】
複合材シートは２つの内側層を備えるのが好ましい。
【００１５】
内側層はチーズクロスから形成されるのが好ましい。チーズクロスは平方インチ当たり３０から９０の数の糸を有するのが好ましい。
【００１６】
中央層は綿及び/又は竹繊維の詰め物(bamboo wadding)から形成されるのが好ましい。
【００１７】
外側層は、綿モスリン又はキャラコ織物から形成されるのが好ましい。更に、綿モスリン又はキャラコ織物は、平方インチ当たり１００から２００の数の糸を有するのが好ましい。
【００１８】
第２の態様において、本開示は冷蔵庫に新鮮な生産物を保存する方法を開示し、該方法は、
先行する請求項の何れかの格納デバイスに水を浴びせる工程と、
該格納デバイスのポケットに新鮮な生産物を置く工程と、
該格納デバイスを冷蔵庫内に置く工程を備える。
【００１９】
好ましい実施形態において、方法は更に、冷蔵庫内に格納デバイスを置く工程の前に、第２シートを内側にした状態で、格納デバイスをロール状の構成内に巻く工程を備えている。
【００２０】
好ましい実施形態において、方法は更に、冷蔵庫内の格納デバイスに間欠的に水を注ぎ又は撒き、格納デバイスの中央層内に水を補充する工程を備える。
【図面の簡単な説明】
【００２１】
本発明の好ましい実施形態が添付の図面を参照して特定例によって記載される。
【図１】図１は、開き構成における新鮮な生産物の格納デバイスを示す。
【図２】図２は、図１の新鮮な生産物の格納デバイスの異なる織物層を示す概略断面図である。
【図３】図３は、開き構成における他の新鮮な生産物の格納デバイスを示す。
【図４】図４は、ロール状の構成における図３の格納デバイスを示す。
【発明を実施するための形態】
【００２２】
図１に記載しているように、新鮮な生産物の格納デバイス１０は、略矩形の第１シート１２及び略矩形の第２シート１４を有するように形成される。
【００２３】
ポケット１６は、第１シート１２と第２シート１４の間に形成されて、２つのシート１２、１４は側縁１８と底縁２０に沿って縫合される。ポケット１６は第１シート１２に縫合されない第２シート１４の上縁２４によって生成される開口２２を有している。開口２２は、ポケット１６の略幅方向に延びる。
【００２４】
別の実施形態では、ポケットは、それ自体の上に折り返されて、共通の側縁に沿って縫合されている単一のシートから形成されている。
【００２５】
第１シート１２は上縁２４にて第２シート１４を超えて、略矩形の平坦部２６を形成し、該平坦部は折り重なって開口２２を閉塞する。
【００２６】
図２に概略断面図で示すように、第１シート１２と第２シート１４の少なくとも１つは、複数の層の織物材料１０２、１０４、１０６から形成された複合材シート１００により付与される。複合材シート１００は、少なくとも１つの水透過性の内側層１０２、吸水性の詰め物の中央層１０４、水透過性の外側層１０６を備える。中央層１０４は、格納デバイスが濡れたときに水を吸収し、水が中央層１０４から蒸発するにつれ、格納された生産物に湿気環境を維持するように構成されている。
【００２７】
図２の実施形態に示されるように、複合材シート１００は２つの内側層１０２を有して、該内側層は湿った中央層１０４と格納される生産物との間に、換気を維持するのに役立つ。これは腐敗速度を増加させる生産物が濡れすぎることを阻止するのに役立つ。
【００２８】
内側層１０２はチーズクロスのような軽量で綿ベースの織物材料から形成されて、生産物と中央層１０４の間の空気流れを許す。この用途に相応しいチーズクロスは一般的に、平方インチ（6.4516cm２）当たり３０から９０の数の糸を有する。
【００２９】
中央層１０４は、水を吸水でき、時間経過に亘って徐々に蒸発することを許す吸水性の綿及び/又は竹繊維の詰め物から形成される。或る実施形態にて、中央層１０４は綿との混紡、竹繊維との混紡又は綿と竹繊維の混紡である。
【００３０】
外側層１０６は、キャラコ又は綿モスリン材のような水透過性の綿ベースの材料から形成される。そのような適切な特定の材料の１つは、平方インチ（6.4516cm２）当たり約１５０の数の糸と１００ｇｓｍの表面密度を有する１００％綿織物である。この用途の綿モスリン又はキャラコ織物は一般的に平方インチ当たり１００から２００の数の糸を有する。
【００３１】
各層１０２、１０４、１０６の織物は、無漂白で有機の１００％天然織物から形成されるのが好ましい。これは生産物がより長く新鮮さを保つことができる換気された、湿った自然環境を維持し、一方、生産物が染料、化学物質又は他の危険な物質によって汚染されないことを確実にする。
【００３２】
代替的な実施形態は、図３に示され、ここでは第１シート１２上に配備されたタイストラップ２８として記載された固定機構を更に含む。フック、ループファスナ、ストラップ及びバックルファスナのような他の固定機構が、格納デバイス１２に亘ってフラップ２６を閉じるのに用いられる。
【００３３】
使用時に、空の格納デバイス１０には、濾過された水が浴びせられ、軽く絞られて余分な水を除去する。新鮮な生産物はポケット１６の内側に置かれ、格納デバイス１０は第１シート１２が平坦面に対向した状態で平坦面上に配置される。格納デバイス１０は底縁２０を捕えて第２シート１４上を巻き、フラップ部２６が少なくとも部分的に巻かれたポケット１６を包むまで上向きに巻かれ続けることにより第２シート１４と共に巻かれる。図４に示すように、タイストラップ２８は一緒に結ばれて、格納デバイス１０がロール状の構成であることを維持する。
【００３４】
格納の為に、格納デバイス１０は冷蔵庫内に置かれる。１日に１回、又は他の規則的な間隔にて、格納デバイス１０は水で湿らされて中央層１０４内の十分な水量を維持する。格納デバイス１０が湿らされると、外側層１０２は大部分の水が通過することを許し、一方、中央層１０４は水を吸収し、生産物から水を引き出し、生産物が乾燥することを防ぐ湿気環境を維持する。生産物が空気から湿気を吸収するにつれ、水は中央層１０４から蒸発し生産物の回りの空気内の水分量を維持する。これにより、生産物が新鮮な湿気を含む空気の一定供給に晒されることを維持し、生産物の有効期間を延ばし、腐敗を防ぐ。
【００３５】
ロール状の構成において、格納デバイス１０は巻かれたカバン（swag）に視覚的に近似しており、美的な外観を呈する。格納デバイス１０は特定タイプの新鮮な生産物用のサイズに形成され、色付けられ、特定の新鮮な生産物を示す画像及び/又は語句が印刷され、レタス及びハーブ用に構成された多数の格納デバイスが区別され得る。
【００３６】
格納デバイス１０を清潔にするためには、格納デバイスは単に手洗いか機械洗浄され得る。
【００３７】
本発明が特定の例を参照して記載されてきたが、当業者には多くの他の形式で実行されることが理解されるだろう。
【図１】
2017507094.tif 000003
【図２】
2017507094.tif 000004
【図３】
2017507094.tif 000005
【図４】
2017507094.tif 000006
【手続補正書】
【提出日】平成27年12月21日(2015.12.21)
【手続補正１】
【補正対象書類名】明細書
【補正対象項目名】全文
【補正方法】変更
【補正の内容】
【発明の詳細な説明】
【技術分野】
【０００１】
本発明は、ハーブ、フルーツ及び野菜のような新鮮な生産物を冷蔵庫に保存するための格納デバイスに関する。
【背景技術】
【０００２】
ハーブ、フルーツ及び野菜のような新鮮な生産物は、一般的に冷蔵庫に保存されて、それらの保管寿命を長くし、腐敗、侵入及び菌の増殖を防ぐ。新鮮な生産物は、一般的に野菜室トレイ内、プラスチックバッグ内、プラスチック容器内又は単に棚上で冷蔵庫内に保存される。
【０００３】
プラスチックバッグ又は容器は、生産物に適切に空気を通す又は「呼吸」することを阻止する。これは、栄養素の損失割合が増加し、生産物の早期の腐敗に繋がる。
【０００４】
生産物を野菜室トレイ内に保存し、又は棚上に置くことは、換気が良くなり、生産物が「呼吸」することを許す。しかし、冷蔵庫内を乾燥空気が流れることにより、生産物の脱水率が増加し、栄養素の損失割合が増加し、生産物の早期の腐敗にも繋がる。
【０００５】
水耕レタスのように生産物の中には、水瓶内に根が損傷されない状態で保存されるものがある。これにより、生産物は呼吸でき、その一方、根を介して瓶から水を引き込むことができ、生産物の脱水を防ぎ、高い栄養素レベルをより長く維持することが出来る。しかし、水瓶内に起立した生産物は冷蔵庫内の棚又は野菜室トレイに保存することが難しい。
【０００６】
本発明の目的は、上記の１以上の不利益を大凡克服し又は少なくとも改善し、又は有用な代替品を提供することにある。
【発明の概要】
【０００７】
第１の態様にて、本開示は新鮮な生産物を受け入れるための開口を有するポケットを有する。ポケットは、少なくとも一部が複合材シートから形成されて、
水透過性材料から形成された少なくとも１つの内側層と、
水吸収性の詰め物から形成された中央層と、
水透過性材料から形成された外側層を備える。
【０００８】
好ましい実施形態にて、ポケットは第２シートに固定された第１シートから形成され、第１シートと第２シートの少なくとも１つは、第１の態様の複合材シートを備える。各第１シートと第２シートは、第１の態様の複合材シートに従ったシートを備えるのが好ましい。
【０００９】
第１シートと第２シートは大凡矩形で３つの共通の縁に沿って固定されて矩形のポケットを形成するのが好ましい。
【００１０】
好ましい実施形態において、格納デバイスは更に、水透過性の材料から形成された平坦部を備え、該平坦部は第１シートの端部から延びてポケットの開口部を大体閉じるように構成されている。平坦部は第１シートの延長部である。
【００１１】
格納デバイスは、第２層を内側にした状態でロール状の構成に巻かれるように構成されるのが好ましく、平坦部はロール状の構成内の格納デバイスの回りを周方向に包むように構成されている。
【００１２】
付随的に、格納デバイスは更に、格納デバイスをロール状の構成内に固定するように構成された固定機構を備える。固定機構はロール状の構成内の格納デバイスの回りを巻くように構成された１以上のストラップであり、又はこれに代えて、固定機構はフック及びループファスナを備える。
【００１３】
好ましい実施形態において、ポケットはポケットの幅と略同じに延びる開口を有する。
【００１４】
内側層はチーズクロスから形成されるのが好ましい。チーズクロスは平方インチ当たり３０から９０の数の糸を有するのが好ましい。
【００１５】
中央層は綿及び/又は竹繊維の詰め物(bamboo wadding)から形成されるのが好ましい。
【００１６】
外側層は、綿モスリン又はキャラコ織物から形成されるのが好ましい。更に、綿モスリン又はキャラコ織物は、平方インチ当たり１００から２００の数の糸を有するのが好ましい。
【００１７】
第２の態様において、本開示は冷蔵庫に新鮮な生産物を保存する方法を開示し、該方法は、
新鮮な生産物を受け入れるための開口を有するポケットを有する新鮮な生産物の格納デバイスに水を浴びせる工程であって、ポケットは少なくとも一部が複合材シートから形成されて、
水透過性材料から形成された少なくとも２つの内側層と、
水吸収性の詰め物から形成された中央層と、
水透過性材料から形成された外側層を備える工程と、
該格納デバイスのポケットに新鮮な生産物を置く工程と、
該格納デバイスを冷蔵庫内に置く工程を備える。
【００１８】
好ましい実施形態において、方法は更に、冷蔵庫内に格納デバイスを置く工程の前に、第２シートを内側にした状態で、格納デバイスをロール状の構成内に巻く工程を備えている。
【００１９】
好ましい実施形態において、方法は更に、冷蔵庫内の格納デバイスに間欠的に水を注ぎ又は撒き、格納デバイスの中央層内に水を補充する工程を備える。
【図面の簡単な説明】
【００２０】
本発明の好ましい実施形態が添付の図面を参照して特定例によって記載される。
【図１】図１は、開き構成における新鮮な生産物の格納デバイスを示す。
【図２】図２は、図１の新鮮な生産物の格納デバイスの異なる織物層を示す概略断面図である。
【図３】図３は、開き構成における他の新鮮な生産物の格納デバイスを示す。
【図４】図４は、ロール状の構成における図３の格納デバイスを示す。
【発明を実施するための形態】
【００２１】
図１に記載しているように、新鮮な生産物の格納デバイス１０は、略矩形の第１シート１２及び略矩形の第２シート１４を有するように形成される。
【００２２】
ポケット１６は、第１シート１２と第２シート１４の間に形成されて、２つのシート１２、１４は側縁１８と底縁２０に沿って縫合される。ポケット１６は第１シート１２に縫合されない第２シート１４の上縁２４によって生成される開口２２を有している。開口２２は、ポケット１６の略幅方向に延びる。
【００２３】
別の実施形態では、ポケットは、それ自体の上に折り返されて、共通の側縁に沿って縫合されている単一のシートから形成されている。
【００２４】
第１シート１２は上縁２４にて第２シート１４を超えて、略矩形の平坦部２６を形成し、該平坦部は折り重なって開口２２を閉塞する。
【００２５】
図２に概略断面図で示すように、第１シート１２と第２シート１４の少なくとも１つは、複数の層の織物材料１０２、１０４、１０６から形成された複合材シート１００により付与される。複合材シート１００は、少なくとも１つの水透過性の内側層１０２、吸水性の詰め物の中央層１０４、水透過性の外側層１０６を備える。中央層１０４は、格納デバイスが濡れたときに水を吸収し、水が中央層１０４から蒸発するにつれ、格納された生産物に湿気環境を維持するように構成されている。
【００２６】
図２の実施形態に示されるように、複合材シート１００は２つの内側層１０２を有して、該内側層は湿った中央層１０４と格納される生産物との間に、換気を維持するのに役立つ。これは腐敗速度を増加させる生産物が濡れすぎることを阻止するのに役立つ。
【００２７】
内側層１０２はチーズクロスのような軽量で綿ベースの織物材料から形成されて、生産物と中央層１０４の間の空気流れを許す。この用途に相応しいチーズクロスは一般的に、平方インチ（6.4516cm２）当たり３０から９０の数の糸を有する。
【００２８】
中央層１０４は、水を吸水でき、時間経過に亘って徐々に蒸発することを許す吸水性の綿及び/又は竹繊維の詰め物から形成される。或る実施形態にて、中央層１０４は綿との混紡、竹繊維との混紡又は綿と竹繊維の混紡である。
【００２９】
外側層１０６は、キャラコ又は綿モスリン材のような水透過性の綿ベースの材料から形成される。そのような適切な特定の材料の１つは、平方インチ（6.4516cm２）当たり約１５０の数の糸と１００ｇｓｍの表面密度を有する１００％綿織物である。この用途の綿モスリン又はキャラコ織物は一般的に平方インチ当たり１００から２００の数の糸を有する。
【００３０】
各層１０２、１０４、１０６の織物は、無漂白で有機の１００％天然織物から形成されるのが好ましい。これは生産物がより長く新鮮さを保つことができる換気された、湿った自然環境を維持し、一方、生産物が染料、化学物質又は他の危険な物質によって汚染されないことを確実にする。
【００３１】
代替的な実施形態は、図３に示され、ここでは第１シート１２上に配備されたタイストラップ２８として記載された固定機構を更に含む。フック、ループファスナ、ストラップ及びバックルファスナのような他の固定機構が、格納デバイス１２に亘ってフラップ２６を閉じるのに用いられる。
【００３２】
使用時に、空の格納デバイス１０には、濾過された水が浴びせられ、軽く絞られて余分な水を除去する。新鮮な生産物はポケット１６の内側に置かれ、格納デバイス１０は第１シート１２が平坦面に対向した状態で平坦面上に配置される。格納デバイス１０は底縁２０を捕えて第２シート１４上を巻き、フラップ部２６が少なくとも部分的に巻かれたポケット１６を包むまで上向きに巻かれ続けることにより第２シート１４と共に巻かれる。図４に示すように、タイストラップ２８は一緒に結ばれて、格納デバイス１０がロール状の構成であることを維持する。
【００３３】
格納の為に、格納デバイス１０は冷蔵庫内に置かれる。１日に１回、又は他の規則的な間隔にて、格納デバイス１０は水で湿らされて中央層１０４内の十分な水量を維持する。格納デバイス１０が湿らされると、外側層１０２は大部分の水が通過することを許し、一方、中央層１０４は水を吸収し、生産物から水を引き出し、生産物が乾燥することを防ぐ湿気環境を維持する。生産物が空気から湿気を吸収するにつれ、水は中央層１０４から蒸発し生産物の回りの空気内の水分量を維持する。これにより、生産物が新鮮な湿気を含む空気の一定供給に晒されることを維持し、生産物の有効期間を延ばし、腐敗を防ぐ。
【００３４】
ロール状の構成において、格納デバイス１０は巻かれたカバン（swag）に視覚的に近似しており、美的な外観を呈する。格納デバイス１０は特定タイプの新鮮な生産物用のサイズに形成され、色付けられ、特定の新鮮な生産物を示す画像及び/又は語句が印刷され、レタス及びハーブ用に構成された多数の格納デバイスが区別され得る。
【００３５】
格納デバイス１０を清潔にするためには、格納デバイスは単に手洗いか機械洗浄され得る。
【００３６】
本発明が特定の例を参照して記載されてきたが、当業者には多くの他の形式で実行されることが理解されるだろう。
【手続補正２】
【補正対象書類名】特許請求の範囲
【補正対象項目名】全文
【補正方法】変更
【補正の内容】
【特許請求の範囲】
【請求項１】
新鮮な生産物を受け入れるための開口を有するポケットを有する新鮮な生産物の格納デバイスであって、ポケットは少なくとも一部が複合材シートから形成されて、
水透過性材料から形成された少なくとも２つの内側層と、
水吸収性の詰め物から形成された中央層と、
水透過性材料から形成された外側層を備える、格納デバイス。
【請求項２】
前記ポケットは第２シートに固定された第１シートから形成され、第１シートと第２シートの少なくとも１つは、複合材シートを備える、請求項１に記載の格納デバイス。
【請求項３】
両第１シートと第２シートは、複合材シートを備える、請求項２に記載の格納デバイス。
【請求項４】
前記第１シートと第２シートは大凡矩形であって、３つの共通の縁に沿って固定されて矩形のポケットを形成する、請求項２又は３に記載の格納デバイス。
【請求項５】
更に、水透過性の材料から形成された平坦部を備え、該平坦部は前記第１シートの端部から延びてポケットの開口部を大凡閉じるように構成されている、請求項２乃至４の何れかに記載の格納デバイス。
【請求項６】
前記平坦部は前記第１シートの延長部である、請求項５に記載の格納デバイス。
【請求項７】
第２層を内側にした状態でロール状の構成に巻かれるように構成され、前記平坦部はロール状の構成内の格納デバイスの回りを周方向に包むように構成されている、請求項５又は６に記載の格納デバイス。
【請求項８】
更に、格納デバイスをロール状の構成内に固定するように構成された固定機構を備える、請求項７に記載の格納デバイス。
【請求項９】
前記固定機構はロール状の構成内の格納デバイスの回りを巻くように構成された１以上のストラップである、請求項８に記載の格納デバイス。
【請求項１０】
前記固定機構は、フック及びループファスナを備える、請求項８に記載の格納デバイス。
【請求項１１】
前記ポケットはポケットの幅と略同じに延びる開口を有する、請求項１乃至１０の何れかに記載の格納デバイス。
【請求項１２】
少なくとも１つの内側層はチーズクロスから形成される、請求項１乃至１１の何れかに記載の格納デバイス。
【請求項１３】
前記チーズクロスは、平方インチ（6.4516cm２）当たり３０から９０の数の糸を有する、請求項１２に記載の格納デバイス。
【請求項１４】
前記中央層は、綿及び/又は竹繊維の詰め物から形成される、請求項１乃至１３の何れかに記載の格納デバイス。
【請求項１５】
前記外側層は、綿モスリン又はキャラコ織物から形成される、請求項１乃至１４の何れかに記載の格納デバイス。
【請求項１６】
前記綿モスリン又はキャラコ織物は、平方インチ（6.4516cm２）当たり１００から２００の数の糸を有する、請求項１５に記載の格納デバイス。
【請求項１７】
冷蔵庫に新鮮な生産物を保存する方法であって、
新鮮な生産物を受け入れるための開口を有するポケットを有する新鮮な生産物の格納デバイスに水を浴びせる工程であって、ポケットは少なくとも一部が複合材シートから形成されて、
水透過性材料から形成された少なくとも２つの内側層と、
水吸収性の詰め物から形成された中央層と、
水透過性材料から形成された外側層を備える工程と、
該格納デバイスのポケットに新鮮な生産物を置く工程と、
該格納デバイスを冷蔵庫内に置く工程を備える、方法。
【請求項１８】
更に、冷蔵庫内に格納デバイスを置く工程の前に、第２シートを内側にした状態で、格納デバイスをロール状の構成内に巻く工程を備えている、請求項１７に記載の方法。
【請求項１９】
更に、前記格納デバイスを間欠的に水で湿らせて、格納デバイスの中央層内に水を補充する工程を備える、請求項１７又は１８に記載の方法。
【国際調査報告】
2017507094.tif 000007
2017507094.tif 000008
2017507094.tif 000009